(57)【要約】      （修正有）【課題】上部熱源体を左右移動させて熱源から焼き板に伝達される輻射熱の方向を調整することができるロースターの上部熱源体左右移動装置を提供する。【解決手段】下部ベース部と、下部ベース部の上段に備えられる焼き板と、焼き板の上部に設置される上部熱源体と、上部熱源体の内側に配置される熱源と、を含むロースターに適用される上部熱源体左右移動装置であって、回転軸１と、回転軸の外部を囲むケース２と、回転軸を回転させるように形成された誘導溝３と、回転軸の回転を制限するように形成されたリミット溝と、ケースと回転軸との間に形成された固定用孔５と、回転軸の内部に設置され、回転軸に符合するスイッチ６と、回転軸の内壁に備えられてスイッチを誘発する誘発部７と、回転軸の内部と誘発部を連結する誘発溝８と、を含む。【選択図】図１
0003185558.tif 000002
【実用新案登録請求の範囲】
【請求項１】
下部ベース部と、前記下部ベース部の上段に備えられる焼き板と、前記焼き板の上部に設置される上部熱源体と、及び前記上部熱源体の内側に配置され焼き板側に熱を伝達する熱源と、を含むロースターに適用される、前記上部熱源体を左右移動させる左右移動装置であって、
前記左右移動装置は、
回転軸と、
前記回転軸の外部を囲むケースと、
前記回転軸を回転させるように前記回転軸に形成された誘導溝と、
前記回転軸の回転を制限するように前記回転軸１に形成されたリミット溝と、
前記ケースと前記回転軸との間に形成された固定用孔と、
前記回転軸の内部に設置され、前記回転軸に符合するスイッチと、
前記回転軸の内壁に備えられて前記スイッチを誘発する誘発部と、及び
前記回転軸の内部と前記誘発部を連結する誘発溝と、を含むことを特徴とする、左右移動装置。
【請求項２】
前記回転軸の回転を制限するリミット溝に、凸台が形成され、前記ケースに全凸台が形成され、全部符合した回転を制限する前記リミット溝内に弧形位置制限凸台が形成されていることを特徴とする、請求項１に記載の左右移動装置。
【請求項３】
前記回転軸を回転させる前記誘導溝は、二つの部分に各々分割されて、前記回転軸に形成され、前記ケース内には、前記回転軸を回転させる前記誘導溝と符合した誘導環状部が設置されていることを特徴とする、請求項１または２に記載の左右移動装置。
【請求項４】
前記ケースは、対称な一組の筐体を備えており、前記回転軸に符合した仮板で組み合わされることを特徴とする、請求項１〜３のいずれか一項に記載の左右移動装置。
【請求項５】
前記回転軸との間の固定用孔は、弧形溝に分布しており、前記ケース内には、前記弧形溝の位置に符合した収容部が形成され、前記弧形溝において回転軸の間の前記固定用孔と前記収容部との間にバネが設置され、前記バネは、リミット部を位置制限させることを特徴とする、請求項１〜４のいずれか一項に記載の左右移動装置。
【請求項６】
前記ケースの形はＬ字型で構成され、前記回転軸の一側に下部ミニ台が挿入され、他側は多辺形で構成され、前記ケース２は、連結棒に挿入されていることを特徴とする、請求項１〜５のいずれか一項に記載の左右移動装置。
【請求項７】
前記スイッチの組み立て孔は、仮板に連結されることを特徴とする、請求項１〜６のいずれか一項に記載の左右移動装置。
【考案の詳細な説明】
【技術分野】
【０００１】
本考案は、ロースターの上部熱源体左右移動装置に関する。
【背景技術】
【０００２】
一般に、熱が伝達されるメカニズムは、伝導（Ｃｏｎｄｕｃｔｉｏｎ）と対流（Ｃｏｎｖｅｃｔｉｏｎ）及び輻射（Ｒａｄｉａｔｉｏｎ）に大別される。伝導熱は主に固体によって伝達され、対流熱は主に流体によって伝達される。そして、輻射熱は、ある発熱体の表面から電磁波としてエネルギーが放出され、該過程によって熱が伝達されるものである。輻射熱は、媒質がない状態でも光速で放出され、被照射体に直接伝達される。このような輻射熱の波長範囲は、例えば、赤外線から、可視光線領域において波長が最も短い紫外線の領域までに及ぶ。特に、可視光線や紫外線に比べて、遠赤外線および近、中赤外線のような赤外線波長領域帯が最も強い熱伝達作用を持つことが知られている。
【０００３】
ここで、既存のロースターの熱源体は、ロースターの下部に位置する。また、ロースターの熱伝導効率を上げるために、熱源を焼き板の近くに設置したり、熱源を機器内部に設置したりした場合、加熱時に高い温度の熱が直接焼き板に加えられるため、焼き板が冷えず、熱が持続的に食べ物に加えられる。これにより、焼き板が加熱し過ぎることによって食べ物が焦げたり、味に影響が及ぼされたりしていた。
【０００４】
また、仮に、炭（木炭）が熱源の場合、温度の高低は、木炭の数量および加熱持続時間と直接関係するため、調理作業者は絶えず食べる速度を計って調理される食物をひっくり返したり、掻き回したりする処理をしなければならない。このような作業は、非常にわずらわしく、調理法に対する相当な経験が求められる。
【０００５】
さらに、既存のロースターは、多くが下部本体の上側部分に安置したグリル（焼き網）を連結して固定させる方式を採用する。
【０００６】
具体的には、既存ロースターの熱源体は、下部本体とグリルとの間に熱源を設置する。また、熱源としては、一般に電気や炭（木炭）が利用される。このような方式では、熱が焼き板の周りの温度を上昇させ、上昇した温度を利用して焼き板に安置した食べ物を調理する。このような下部熱源体を採用する方式は下記のような欠陥がある。
【０００７】
例えば、下部熱源体を採用する方式では、熱源と焼き板が互いに連結した固定された構造であるため、熱源体の組み立て位置は、熱伝導を高めるためにできるだけグリルの下側部分と近い位置に設置される。電気方式のロースターでは、熱源体の熱量調整が遅延するため、食べ物に火が通った後、電源をオフにしても熱源に残存した熱は持続的に食べ物に作用するため、食べ物が焦げる現象が発生しやすい。また、熱源体が下部に設置されるため、熱源体から放出した熱はグリルを通して食べ物に作用する。したがって、使用者は食べ物の状態を正確に把握できず、過度な加熱によって食べ物が焦げたり、調理した食べ物の味に影響が出たりしていた。
【考案の概要】
【考案が解決しようとする課題】
【０００８】
このような下部熱源体を採用するロースターの欠陥を改善するために、上部熱源体を備えたロースターが提案されている。しかし、上部熱源体を左右移動させることにより熱源から焼き板に伝達される輻射熱の方向を調整する必要があるという問題点があった。
【０００９】
そこで、本考案は上記問題に鑑みてなされたものであり、本考案の目的とするところは、上部熱源体を左右移動させて、調理する食べ物の特性に応じて熱源から焼き板に伝達される輻射熱の方向を調整することが可能な、新規かつ改良されたロースターの上部熱源体左右移動装置を提供することにある。
【課題を解決するための手段】
【００１０】
上記課題を解決するために、本考案のある観点によれば、下部ベース部１００と、前記下部ベース部１００の上段に備えられる焼き板２００と、前記焼き板２００の上部に設置される上部熱源体４００と、及び前記上部熱源体４００の内側に配置され焼き板２００側で熱を伝達する熱源５００と、を含むロースター１０００に適用される、前記上部熱源体４００を左右移動させる左右移動装置３００であって、前記左右移動装置３００は、回転軸１と、前記回転軸１の外部を囲むケース２と、前記回転軸１を回転させるように前記回転軸１に形成された誘導溝３と、前記回転軸１の回転を制限するように前記回転軸１に形成されたリミット溝４と、前記ケース２と前記回転軸１との間に形成された固定用孔５と、前記回転軸１の内部に設置され、前記回転軸１に符合するスイッチ６と、前記回転軸１の内壁に備えられて前記スイッチを誘発する誘発部７と、及び前記回転軸１の内部と前記誘発部７を連結する誘発溝８と、を含むことを特徴とする左右移動装置が提供される。
【００１１】
前記回転軸１の回転を制限するリミット溝４に、凸台９が形成され、前記ケース２に全凸台９が形成され、全部符合した回転を制限する前記リミット溝４内に弧形位置制限凸台１１が形成されてもよい。
【００１２】
前記回転軸１に符合されたスイッチ６は、上部熱源体４００の回転範囲に応じてロースターの発熱電力を調節してもよい。
【００１３】
前記回転軸１を回転させる前記誘導溝３は、二つの部分に各々分割されて、前記回転軸１に形成され、前記ケース２内には、前記回転軸を回転させる前記誘導溝３と符合した誘導環状部１２が設置されていてもよい。
【００１４】
前記ケース２は、対称な一組の筐体を備えており、前記回転軸１に符合した仮板１０で組み合わされてもよい。
【００１５】
前記回転軸１との間の固定用孔５は、弧形溝（ｓｌｏｔ）１３に分布しており、前記ケース２内には、前記弧形溝１３の位置に符合した収容部１４が形成され、前記弧形溝１３において回転軸の間の前記固定用孔５と前記収容部１４との間にバネ１５が設置され、前記バネ１５は、リミット部１６を位置制限させてもよい。
【００１６】
前記ケース２の形は、Ｌ字型で構成され、前記回転軸１の一側に下部ミニ台が挿入され、他側は多辺形で構成され、前記ケース２は、連結棒（ｃｏｎｎｅｃｔｉｎｇ  ｒｏｄ）１７に挿入されていてもよい。
【００１７】
前記スイッチ６の組み立て孔１８は、仮板１０に連結されてもよい。
【考案の効果】
【００１８】
以上説明したように本考案によれば、上部熱源体を左右移動させて熱源から焼き板に伝達される輻射熱の方向を調理する食べ物の特性に応じて調整することが可能なロースターの上部熱源体左右移動装置が提供される。
【図面の簡単な説明】
【００１９】
【図１】本考案によるロースターの上部熱源体の左右移動装置の断面図である。
【図２】図１の回転軸の構造を示した正面図である。
【図３】図１の回転軸の構造を示した側面図である。
【図４】図１に図示した本考案の左右移動装置のケース（ｃａｓｅ）の対称構造を示した側面図である。
【図５】図１のスイッチ未作動時の回転軸構造を示した側面図である。
【図６】図１のスイッチ作動時の回転軸構造を示した側面図である。
【図７】熱源体が焼き物状態時の回転軸と凸台と周辺装置を説明するための平面図である。
【図８】熱源体が焼き物状態時のリミット部と回転軸との間の固定用孔の関係を説明するための平面図である。
【図９】熱源体が焼き板端部に位置する場合の凸台と弧形位置制限凸台を説明するための平面図である。
【図１０】熱源体が焼き板端部に位置する場合のリミット部と回転軸との間の固定用孔の関係を説明するための平面図である。
【図１１】図１に図示された上部熱源体左右移動装置が適用されるロースターの概略的な側断面図である。
【考案を実施するための形態】
【００２０】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００２１】
なお、本考案は、ロースターの上部熱源体左右移動装置に関する。より詳細には、食物の調理程度、焼き板で調理される食物に加えられる熱量、および使用者の環境に応じて、上部熱源体の左右位置を変更するために、ロースターの下部ベース部に連結された連結棒とこれに結合した回転軸を介して焼き板の上部に位置する上部熱源体を左右移動させる装置に関するものである。
【００２２】
以下において、本考案の好ましい実施形態に関して、図１〜４、および図１１を参照し、本考案の一実施形態に係るロースターの上部熱源体左右移動装置の構成を詳細に説明する。
【００２３】
図１１は、本考案による上部熱源体左右移動装置が適用されるロースターの概略側断面図である。
【００２４】
図１１によれば、上部熱源体４００を備えたロースター１０００は、下部ベース部１００と、前記下部ベース部１００の上段に備えられる焼き板２００と、下部が前記焼き板２００の一側に連結される連結棒１７と、前記連結棒１７の上部と連結し上部熱源体を左右移動させる左右移動装置３００と、前記連結棒１７の下部と連結し前記連結棒１７を支持する支持部６００と、及び前記上部熱源体４００の内側に配置され焼き板２００側に熱を伝達する熱源５００と、を含んで構成される。
【００２５】
図１は、本考案によるロースターの上部熱源体の左右移動装置の断面図である。図２は、図１の回転軸の構造を示した正面図である。図３は、図１の回転軸の構造を示した側面図である。図４は、図１に示した本考案の左右移動装置のケース（ｃａｓｅ）の対称構造を示した側面図である。
【００２６】
図１〜図４を参照すると、本考案によるロースターの上部熱源体の左右移動装置３００は、回転軸１と、前記回転軸１の外部を囲むケース２と、前記回転軸１を回転させるために回転軸１に形成された誘導溝３と、前記回転軸１の回転を制限するために回転軸１に形成されたリミット溝４と、前記ケース２と前記回転軸１との間に形成された固定用孔５と、前記回転軸１の内部に形成され、前記回転軸１と符合するスイッチ６と、前記回転軸１の内壁に備えられ、スイッチ６を誘発する誘発部７と、及び前記回転軸１の内部と前記誘発部７を連結する誘発溝８を含んでいる。
【００２７】
前記回転軸１の回転を制限するリミット溝４には、凸台９が形成されている。また、前記ケース２には全凸台９が形成されている。さらに、全部符合した回転を制限するためリミット溝４内に弧形位置制限凸台１１が形成されている。
【００２８】
前記回転軸１を回転させるための誘導溝３は、二つの部分に分割されて各々回転軸１に形成されている。前記ケース２内には回転軸を回転させる誘導溝３と符合した誘導環状部１２が設置形成されている。
【００２９】
前記ケース２は、対称な一組の筐体を備えており、回転軸１に符合した仮板１０で組み合わせられている。
【００３０】
前記回転軸１との間の固定用孔５は、弧形溝（ｓｌｏｔ）１３に分布しており、前記ケース２内には弧形溝１３の位置に符合した収容部１４が形成されている。前記弧形溝１３において回転軸の間の固定用孔５と収容部１４との間には、バネ１５が設置され、これはリミット部１６において位置を制限する役割を果たす。
【００３１】
前記ケース２の形はＬ字型で構成され、回転軸１の一側に下部ミニ台が挿入され、他側は多辺形に構成され、前記ケース２は連結棒（ｃｏｎｎｅｃｔｉｎｇ  ｒｏｄ）１７が挿入される。
【００３２】
前記スイッチ６の組み立て孔１８は、仮板１０に連結される。
【００３３】
さらに以下では、上述した本考案に係る上部熱源体左右移動装置３００の構成及び動作について図１〜図１０を参照してより詳細に説明する。
【００３４】
図１〜図４に加えて、図５〜図１０を参照すると、本考案の上部熱源体左右移動装置３００は、回転軸１及びケース２で構成され、前記回転軸１の外部に前記ケース２が被せられる。誘導溝３は、回転軸１を回転させることができ、また、リミット溝４は、回転軸１の回転を制限する。固定用孔５は、前記ケース２と回転軸１との間に形成される。さらに、前記ケース２の内部に回転軸１に符合したスイッチ６が形成される。回転軸１に符合したスイッチ６の誘発部７は、回転軸１の内部に設けられており、回転軸１の内部と誘発部７の連結は誘発溝８を介して行われる。
【００３５】
前記回転軸１の回転を制限するリミット溝４には、凸台９が形成されている。また、前記ケース２には全凸台９が設置されており、これに全部符合した回転を制限するためにリミット溝４内に弧形位置制限凸台１１が形成されている。
【００３６】
前記回転軸１を回転させることができる誘導溝３は、二つの部分に分かれて、各々回転軸１に形成されている。
【００３７】
前記ケース２内には、回転軸１を回転させることができる誘導溝３と符合した誘導環状部１２が形成される。
【００３８】
前記ケース２は、対称な一組の筐体を備えており、回転軸１に符合した仮板１０で組み合わられる。
【００３９】
前記回転軸１との間に形成された固定用孔５は、弧形溝（ｓｌｏｔ）１３に分布しており、前記ケース２内には弧形溝１３の位置に符合した収容部１４が形成されている。
【００４０】
前記弧形溝１３において回転軸１の間の固定用孔５と収容部１４との間には、バネ１５が設置され、これはリミット部１６において位置制限させる役割を果たす。
【００４１】
前記ケース２の形はＬ字型で構成され、回転軸１の一側に形成した下部ミニ台に挿入され、他側は多辺形に構成された上下部連結台の上側位置で連結棒１７に挿入されている。
【００４２】
本考案では、回転軸１に環状誘導溝３、リミット溝４、及び回転軸との間に固定用孔５を形成する。また、本考案は、前記ケース２の弧形位置制限凸台１１と誘導環状部１２により、熱源体の上げ下げ幅の範囲を予め設定することができ、安定な領域を実現するため、上部熱源体を所望の位置に固定配置することができる。
【００４３】
本考案は、回転軸１とケース２で構成され、回転軸１に回転軸１を回転させるための誘導溝３が形成され、回転軸１に符合したスイッチ６の誘発部７が、回転軸１の内壁（内部）に設置されている。また、本考案において、熱源体の左右移動装置３００は、環状誘導溝３を用いることにより、熱源体移動後、上部熱源体がその他の区域に移動することを防止するため、より安全性が高めることができる。
【００４４】
本考案によれば、上部熱源体を左右移動させて熱源から焼き板に伝達される輻射熱の方向を調理する食べ物の特性に応じて調整することができるため、種々の食べ物の調理法に応じた要求を満たすことができる。
【００４５】
また、本考案によれば、調理途中の使用者の位置に応じて、発熱位置を調節することができるため、より便宜性を高めることができる。
【００４６】
さらに、本考案は、回転軸によって左右回転する左右移動装置を用いることにより、上部熱源体を左右移動し、所望の位置に固定配置できることが可能となる。
【００４７】
以上、添付図面を参照しながら本考案の好適な実施形態について詳細に説明したが、本考案はかかる例に限定されない。本考案の属する技術の分野における通常の知識を有する者であれば、実用新案登録請求の範囲に記載された技術的思想の範疇内において、各種の変更例または修正例に想到し得ることは明らかであり、これらについても、当然に本考案の技術的範囲に属するものと了解される。
【符号の説明】
【００４８】
１        回転軸
２        ケース
３        誘導溝
４        リミット溝
５        回転軸の間の固定用孔
６        回転軸に符合したスイッチ
７        誘発部
８        誘発溝
９        凸台
１０      仮板
１１      弧形位置制限凸台
１２      誘導環状部
１３      弧形溝
１４      収容部
１５      バネ
１６      リミット部
１７      連結棒
１８      組み立て孔
【図１】
0003185558.tif 000003
【図２】
0003185558.tif 000004
【図３】
0003185558.tif 000005
【図４】
0003185558.tif 000006
【図５】
0003185558.tif 000007
【図６】
0003185558.tif 000008
【図７】
0003185558.tif 000009
【図８】
0003185558.tif 000010
【図９】
0003185558.tif 000011
【図１０】
0003185558.tif 000012
【図１１】
0003185558.tif 000013